(57)【要約】【課題】略半球形をなす投影面を常に所定形状に保持することができると共に、一度に多数の者にきれいな画像を映し出して見せることができるドーム形スクリーン装置を提供する。【解決手段】内面に画像が投影される略半球形をなす内側皮膜５と、所定の隙間を空けて内側皮膜５に被せられる略半球形をなす外側皮膜６と、内側皮膜５と外側皮膜６との間に形成される略半球形をなす空気室９の気体を常時吸引して空気室９内の圧力を外部の圧力よりも低くする吸引装置４と、を設ける。【選択図】      図１
2005017398.tif 000002
【特許請求の範囲】
【請求項１】
内面に画像が投影される略半球形をなす内側皮膜と、
所定の隙間を空けて前記内側皮膜に被せられる略半球形をなす外側皮膜と、
前記内側皮膜と前記外側皮膜との間に形成される略半球形をなす気体室の気体を常時吸引して当該気体室内の圧力を外部の圧力よりも低くする吸引装置と、を設けたことを特徴とするドーム形スクリーン装置
【請求項２】
前記内側皮膜及び前記外側皮膜の開口側端部の大きさに対応するリング状をなす膜取付部材と、前記膜取付部材に前記内側皮膜及び前記外側皮膜の各開口側端部を略全周に渡ってそれぞれ着脱可能に固定する膜固定手段と、を設けたことを特徴とする請求項１記載のドーム形スクリーン装置。
【請求項３】
前記膜固定手段は面ファスナであることを特徴とする請求項２記載のドーム形スクリーン装置。
【請求項４】
前記外側皮膜に対応した略半球形をなす骨格部材を設け、前記骨格部材に前記外側皮膜を被せて骨格部材で外側皮膜を保持したことを特徴とする請求項１記載のドーム形スクリーン装置。
【請求項５】
前記吸引装置は吸気ダクトを有し、前記吸気ダクトの先端を前記膜取付部材に設けた貫通穴に嵌合させて吸引装置を前記気体室に連通したことを特徴とする請求項１記載のドーム形スクリーン装置。
【発明の詳細な説明】
【０００１】
【発明の属する技術分野】
本発明は、プラネタリウムや映画の映像等を広範囲に映し出すことができる略半球形をなすスクリーンを備えたドーム形スクリーン装置に関し、特に、スクリーンの略半球面を安定性よく維持することができるドーム形スクリーン装置に関するものである。
【０００２】
【従来の技術】
従来の、ドーム形のスクリーンを備えた装置としては、例えば、特許文献１に記載されているようなものがある。特許文献１には、この特許出願人が先に特許出願したもので、自転車こぎ運動機具や歩行運動機具等のアスレチック機器或いは乗車構成のシミュレーション装置や娯楽用装置において、使用者が、前進や後退の動作に合わせて変化する仮想的な画像を見ながら目的の動作が行えるようにした画像表示装置付き疑似体験装置に関するものが記載されている。
【０００３】
この特許文献１に記載された画像表示装置付き疑似体験装置は、前進する運動を前進せずにその場で出来るようにしたアスレチック機器と、この運動をする人が前面で該運動の前進する動作に合わせて変化する画像を見ることが出来るように構成された画像表示装置と、前記運動する人に対し少なくとも前方から送風するとともに前記運動の前進する動作に関連させてその風量を変化させる送風装置と、を具備することを特徴としている（以下「第１の従来技術」という。）。
【０００４】
この第１の従来技術の場合には、送風装置を用いて新鮮な空気を循環させることで使用者をリフレッシュさせ、運動等による体のリラックスと同時に心のリラックスも得ることができる。更に、送風を画像とともに前進する動作等に合わせることで走行感やスピード感を感じさせて臨場感を向上させると共に、画像表示装置として半球ドーム形スクリーンに投影表示を行うことで、表示画像に立体感を感じさせ、より一層の臨場感あふれる映像で運動等の動作に没入しやすいように考慮されている。
【０００５】
更に、この特許出願人に係る従来のドーム形スクリーンを備えた装置の他の例としては、例えば、特許文献２に記載されているようなものもある。特許文献２には、半球ドーム形のスクリーンに投射された映像を見ることにより、広大な視野を得られるようにした画像表示装置に関するものが記載されている。
【０００６】
この特許文献２に記載された画像表示装置は、半球ドーム形のスクリーンにプロジェクターにより映像を投影し、該半球ドーム形のスクリーンに映し出される映像を該半球ドーム形のスクリーンの開口部側から見るようにした画像表示装置において、上記半球ドーム形のスクリーンを透過形のスクリーンであって光を拡散する性質のシートで作成し、このスクリーンの周縁部を円形湾曲状又は円形平面状の透明なシートで密着密閉して該スクリーンと該透明なシートとの密閉空間内に基体を注入自在にして構成し、上記開口部側と反対側の上記半球ドーム形のスクリーンの背面より映像を投影したことを特徴としている（以下「第２の従来技術」という。）。
【０００７】
この第２の従来技術の場合、半球ドーム形のスクリーンは透明なプラスチック材等により透過形のスクリーンとして形成されており、小径の半球状の中央部とその回りの環状の回り部及びその回りの環状の周縁部とで大径の半球体が構成されている。この半球ドーム形スクリーンの背面側に、ビデオプロジェクターからの投影光が反射鏡で反射されて結像される。その結果、半球ドーム形スクリーンの中央部ではピントの合った画像となり、その周囲の回り部では多少ピントがあまくなった画像となり、更に、その周囲の周縁部では徐々にぼやけて暗くなり最外周では真っ暗になる画像が得られる。
【０００８】
この半球ドーム形スクリーンを備えた画像表示装置によれば、眼の中央部はピントが合ってはっきりした画像が見えるが、その回りは徐々にぼやけ、視界から外れた部分が徐々に暗くなってスクリーンの周縁部が見えないという観察者の視覚に極めて近い視覚を簡単に再現することができる。
【０００９】
また、従来の、ドーム形スクリーンを備えた装置としては、例えば、特許文献３に記載されているようなものもある。特許文献３には、映像、プラネタリュウム等の映像を映写するための、曲面を有するスクリーン構造物に係るものが記載されている。
【００１０】
この特許文献３に記載された曲面を有するスクリーン構造物は、形成すべきスクリーン形状に対応させた剛骨格を形成し、この剛骨格の外周面及び内周曲面を、非通気性の素材で形成した外周被膜及び内周被膜にて被覆し、この外周被膜と内周被膜間を、空気が流入する事のない気密空間とし、この気密空間に排気装置を接続して減圧可能とするとともに内周被膜を、剛骨格の内周曲面よりも小さな表面積で内周曲面に対応した形状とする事により、気密空間の減圧時に、剛骨格の内周曲面と内周被膜とが接触しないように形成した事を特徴としている（以下「第３の従来技術」という。）。
【００１１】
【特許文献１】
特開平７−８００９６号公報（第２頁、図１）
【特許文献２】
特許第３３９３２４４号公報（第１−２頁、図１）
【特許文献３】
特開平１１−９５７０８号公報（第１−２頁、図１）
【００１２】
【発明が解決しようとする課題】
しかしながら、上述したような従来のドーム形スクリーン装置等においては、第１及び第２の従来技術の場合、ドーム形スクリーンが骨無しで作られており、画面に骨部分が映し出されることがないためきれいな画像を観察することができるが、その観察者は一人のみであり、一度に多数の者にきれいな画像を映し出して見せることができるものではないという課題があった。
【００１３】
また、第３の従来技術の場合には、内面が半球状の投影面とされていて一度に多数の者を収容できる大きさのドーム形スクリーンを備えているが、そのドーム形スクリーンを構成する外周被膜と内周被膜の間が、空気の流入する事のない気密空間とされていて、その気密空間を排気装置で減圧することにより、外周被膜が剛骨格の外周面に密着する一方、内周被膜が剛骨格の内周曲面の表面積よりも小さい表面積に形成されているため内周曲面に接触することなく定位置に張力を保持し得る構成となっていた。
【００１４】
そのため、ドーム形スクリーンの外側の気圧や温度等の変化によってスクリーン内外の圧力差が変化し、その圧力差が小さくなると、内周被膜の張力が低下して半球状投影面が変形する等の課題があった。また、外周被膜と内周被膜の間に剛骨格が介在されていたため、組立作業が面倒なものとなり、組立時の作業性が悪いという課題もあった。
【００１５】
本発明は、このような従来技術の課題を解決するためになされたものであり、内側皮膜と外側被膜との間に形成される略半球形をなす気体室の気体を常時吸引し、スクリーン内の圧力を外部の圧力よりも常に低く保持することにより、略半球形をなす投影面を常に所定形状に保持することができると共に、一度に多数の者にきれいな画像を映し出して見せることができ、しかも、組立作業が容易であって作業性に優れたドーム形スクリーン装置を提供することを目的としている。
【００１６】
【課題を解決するための手段】
前記課題を解決し、前記目的を達成するため、本出願の請求項１記載のドーム形スクリーン装置は、内面に画像が投影される略半球形をなす内側皮膜と、所定の隙間を空けて内側皮膜に被せられる略半球形をなす外側皮膜と、内側皮膜と外側皮膜との間に形成される略半球形をなす気体室の気体を常時吸引して気体室内の圧力を外部の圧力よりも低くする吸引装置と、を設けたことを特徴としている。
【００１７】
本出願の請求項２記載のドーム形スクリーン装置は、内側皮膜及び外側皮膜の開口側端部の大きさに対応するリング状をなす膜取付部材と、膜取付部材に内側皮膜及び外側皮膜の各開口側端部を略全周に渡ってそれぞれ着脱可能に固定する膜固定手段と、を設けたことを特徴としている。
【００１８】
本出願の請求項３記載のドーム形スクリーン装置は、膜固定手段は面ファスナであることを特徴としている。
【００１９】
本出願の請求項４記載のドーム形スクリーン装置は、外側皮膜に対応した略半球形をなす骨格部材を設け、骨格部材に外側皮膜を被せて骨格部材で外側皮膜を保持したことを特徴としている。
【００２０】
本出願の請求項５記載のドーム形スクリーン装置は、吸引装置は吸気ダクトを有し、吸気ダクトの先端を膜取付部材に設けた貫通穴に嵌合させて吸引装置を気体室に連通したことを特徴としている。
【００２１】
このように構成したことにより、本出願の請求項１記載のドーム形スクリーン装置では、内側皮膜と外側皮膜との間に形成された気体室の気体を吸引装置で常時吸引することにより、内側皮膜の内面に作用する圧力と外面に作用する圧力との差圧によって内側皮膜が常時張られた状態となるため、スクリーンの投影面の略半球形を安定性よく維持することができる。
【００２２】
本出願の請求項２記載のドーム形スクリーン装置では、膜取付部材と膜固定手段を設け、膜固定手段で内側皮膜及び外側皮膜の略全周を膜取付部材にそれぞれ固定することにより、内側皮膜及び外側皮膜を所定の関連性を持って簡単且つ迅速に組み立てることができ、ドーム形スクリーンの組立性を大幅に向上させることができる。
【００２３】
本出願の請求項３記載のドーム形スクリーン装置では、膜固定手段として面ファスナを用いることができ、これにより、膜取付部材に対する内側皮膜及び外側皮膜の脱着作業を簡単且つ迅速に行うことができる。
【００２４】
本出願の請求項４記載のドーム形スクリーン装置では、骨格部材に外側皮膜を被せて保持することにより、外側皮膜の内面に作用する負圧による変形を抑制して気体室を明確に出現させ、内側皮膜の内面に負圧を確実且つ十分に作用させて投影面の略半球形を安定性よく維持することができる。
【００２５】
また、本出願の請求項５記載のドーム形スクリーン装置では、吸引装置の吸気ダクトを膜取付部材の貫通穴に嵌合させることにより、吸引装置を気体室に簡単且つ迅速に接続することができ、組立時及び分解時における作業性を向上させることができる。
【００２６】
【発明の実施の形態】
以下、本発明の実施の形態を、添付図面を参照して説明する。図１〜図１５は、本発明の実施の形態を示すものである。即ち、図１は本発明のドーム形スクリーン装置の一実施例を断面して示す説明図、図２は外観構成を示す斜視図、図３は一部を分解して示す説明図、図４Ａ，Ｂ，Ｃは支持柱を示す説明図、図５は同じく支持柱の正面図、図６は骨格部材の斜視図、図７Ａ，Ｂは骨格部材の全体図及び折り曲げ部の拡大説明図、図８Ａ，Ｂは骨格部材の天井リングを示す平面図及び半断面図、図９Ａ，Ｂは骨格部材の縦骨材と横骨材の連結部を示す正面図及び側面図、図１０は膜取付部材の上フレーム片の斜視図、図１１は膜取付部材の斜視図、図１２は内側皮膜及び外側皮膜の斜視図、図１３は支持部材の下フレーム片の斜視図、図１４は支持部材の斜視図、図１５は映写機の一実施例を示す斜視図である。
【００２７】
この実施例に示すドーム形スクリーン装置は、天体や映画等の映像を見物者の頭上に配設された半球形のスクリーンに映し出し、天体の運行や映画のストーリー等を見物者が頭上の半球形スクリーンを見て楽しむことができるようにしたものである。図１〜図３に示すように、ドーム形スクリーン装置１は、略半球形をなすスクリーンを有するドーム部２と、このドーム部２を下方から支持すると共に高さ調整可能とされた胴体部３と、半球形スクリーンを半球形に保持する吸引装置４等を備えて構成されている。
【００２８】
ドーム部２は、内面に画像が投影される略半球形をなす内側皮膜５と、この内側皮膜５との間に全周面に渡って所定の隙間を空けて被せられる同じく略半球形をなす外側皮膜６と、この外側皮膜６を内側から支える骨格部材７と、これら内外側皮膜５，６及び骨格部材７の開口側端部を全周に渡ってそれぞれ支持する膜取付部材８とから構成されている。そして、内側皮膜５と外側皮膜６との間に形成される略半球形をなす空間部によって気体室９が構成されている。
【００２９】
内側皮膜５及び外側皮膜６は、遮光性のあるシート状の部材によって形成されている。内側皮膜５及び外側皮膜６の材料としては、例えばポリエステルが好適であるが、ナイロンその他のプラスチック製のシートを適用できることは勿論のこと、その他にも布を芯材としてその表面にプラスチックシートを貼り合わせたもの、これとは逆にプラスチックシートを芯材としてその片面又は両面に布を貼り合わせたもの等の各種材料を用いることもできる。尚、外外側皮膜６は、屋外に設置する場合等を考慮して耐候性を有する材料にて形成するのが好ましい。
【００３０】
これら内側皮膜５及び外側皮膜６は、全体が略半球形をなす曲面を形成するように構成する。そのため、内側皮膜５及び外側皮膜６は、予め計算された数値に基づく立体裁断等によって複数の皮膜片に分割して形成し、この複数の皮膜片を縫製や接着剤等の接合手段により接続して、それぞれが１個の略半球形をなすキャップ状の部材となるように構成する。この際、隣り合う皮膜片の接合部分は、高度な気密状態が得られるように完全に密着させて接合する構成としてもよいが、ある程度接合された状態であれば少々気密が破られて気体漏れが生じている状態であってもよい。その理由は、後述するように、吸引装置４で常時気体室９内の空気を吸引し、常にスクリーン内に空気が流れるように構成されるからである。
【００３１】
また、図１及び図１２に示すように、内側皮膜５は外側皮膜６よりも少々小形に形成し、内側皮膜５に外側皮膜６を被せた状態において全周面に所定の隙間が形成されるようにする。従って、内側皮膜５の開口側端部の直径は外側皮膜６の開口側端部の直径よりも小径であり、当然に内側皮膜５の表面積は外側皮膜６の表面積よりも小さなものとなっている。
【００３２】
骨格部材７は、図１〜図３に示すような構成を有している。即ち、骨格部材７は、複数本の縦骨材１１（本実施例では１２本）と、縦骨材１１に対して直交する方向に配置される横骨材１２（本実施例では１本）と、１個のリングジョイント１３等を備えて構成されている。各縦骨材１１は、図７Ａに示すように、それぞれ円弧状に形成された上部アーム１５及び下部アーム１６と、両アーム１５，１６を軸方向へ折り曲げ自在に連結する連結具１７とから構成されている。そして、上部アーム１５と下部アーム１６は、それぞれパイプ状の中空部材によって形成されている。
【００３３】
上部アーム１５の軸方向両端部には、それぞれ接続片１８，１９が圧入やねじ締め等の固着手段により固定されて一体に構成されている。同様に、下部アーム１６の軸方向両端部には、それぞれ接続片２０，２１が圧入やねじ締め等の固着手段により固定されて一体に構成されている。各接続片１８，１９，２０，２１は、各アーム１５，１６の穴に圧入等されて固定される軸部２２ａと、この軸部２２ａの位置決めをなす鍔部２２ｂと、この鍔部２２ｂに連続して軸部２２ａと反対側に突出される凸部２２ｃとから構成されている。そして、凸部２２ｃには、各アームの軸方向と交差する方向に開口する挿通穴が設けられている。
【００３４】
このような構成を有する接続片１８，１９，２０，２１のうち、上部アーム１５の下端に固定された下側接続片１９と下部アーム１６の上端に固定された上側接続片２０が、それぞれ連結具１７に回動自在に連結されている。連結具１７は、図７Ｂ及び図９Ａ，Ｂに示すように、コ字状に形成された受け部を両端に有する平面形状がＨ字状をなす部材からなる。この連結具１７の一方の受け部１７ａに接続片１９の凸部２２ｃが挿入され、他方の受け部１７ｂに接続片２０の凸部２２ｃが挿入されている。各受け部１７ａ，１７ｂの挿通穴には取付ネジ２３が挿入され、その取付ネジ２３の先端に螺合するナットによって抜け止めされている。
【００３５】
更に、連結具１７の幅方向の一側であって長手方向（２つの受け部１７ａ，１７ｂの互いの挿通穴を結ぶ方向）の両端には、略４５度に傾斜された切欠き部２５がそれぞれ設けられている。各切欠き部２５は幅方向の中央部から一側に掛けて大きく面取りするように形成されている。これにより、連結具１７に対して上部アーム１５及び下部アーム１６は、図７Ａ，Ｂに示す略９０度折り曲げた状態と、図９Ａ，Ｂに示す１８０度広げて軸方向へ伸ばした状態とを選択的に取ることができるように構成されている。
【００３６】
この場合、図９Ａ，Ｂに示すように、連結具１７の長手方向と上部アーム１５（下部アーム１６の場合も同様である。）の軸心線を一致させるように１８０度に広げると、連結具１７の切欠き部２５と逆側の端面に接続片１９（下部アーム１６の場合には接続片２０）の鍔部２２ｂが当接される。この場合には、連結具１７に対して上部アーム１５を切欠き部２５と逆側、即ち図９Ｂにおいて反時計方向に回動させることができない。これに対して、図９Ｂにおいて時計方向である連結具１７の切欠き部２５のある側には、上部アーム１５を回動させて折り曲げることができる。
【００３７】
尚、図９Ａ，Ｂに示す符号２６は、上部アーム１５及び下部アーム１６と連結具１７とからなる関節部を覆うことができる保護パイプである。保護パイプ２６の材料としては、例えば、ビニールパイプのように柔軟性のあるパイプ材料が好適である。この保護パイプ２６は、連結具１７等からなる関節部を伸ばしたときに使用するもので、関節部を覆って関節が伸びた状態を保持することができる。不使用時の保護パイプ２６は、上部アーム１５側に移動させておく。この保護パイプ２６で関節部を覆うことにより、上部アーム１５及び下部アーム１６が内側へ折り畳まれるのを防ぐことができる。
【００３８】
このような構成を有する複数の縦骨材１１の上部アーム１５の上端に固定された上側接続片１８は、リングジョイント１３にそれぞれ回動自在に連結されている。リングジョイント１３は、図８Ａ，Ｂに示すように、適当な厚みを有するリング状の部材からなり、その外周面には、縦骨材１１と同じ数のスリット２８が周方向へ等間隔に設けられている。これらのスリット２８には、接続片１８の凸部２２ｃがそれぞれ摺動可能に挿入されている。そして、各接続片１８の凸部２２ｃには、リング状をなすリング軸２９が共通に挿通されている。
【００３９】
リングジョイント１３の内周面には、上部ストッパ３０と下部ストッパ３１が厚み方向に所定の隙間をあけて設けられている。上部ストッパ３０は、図６に示すように、骨格部材７が開いた一定の状態を保持するためのものである。かかる開いた状態を保持するため、縦骨材１１の接続片１８の凸部２２ｃの先端には、軸部２２ａと反対側に突出する突起２２ｄが設けられている。また、下部ストッパ３１は、骨格部材７が閉じた状態（図７Ａの状態）において、縦骨材１１が必要以上に内側へ折り曲げられるのを防ぐためのものである。
【００４０】
かくして、骨格部材７を開くと、図８Ｂに示すように、接続片１８の突起２２ｄが上部ストッパ３０の側面に当接される。これにより、縦骨材１１の更なる外側への開放動作、即ち、図８Ｂにおいて反時計方向への回動が防止される。一方、骨格部材７を閉じると、接続片１８の凸部２２ｃの下面が下部ストッパ３１の側面に当接される。これにより、縦骨材１１の更なる内側への回動操作、即ち、図８Ｂにおいて時計方向への回動が防止される。
【００４１】
また、横骨材１２は、複数の縦骨材１１の横方向の間隔を略一定に保持するためのものである。この横骨材１２は、縦骨材１１の数と同数の円弧状に形成された横アーム３３と、隣り合う横アーム３３間を着脱可能に連結する同数の接続具３４とから構成されている。横アーム３３はパイプ状の中空部材によって形成されており、その軸方向両端部には、それぞれ接続片３５，３６が圧入やねじ締め等の固着手段により固定されて一体に構成されている。
【００４２】
各接続片３５，３６は、横アーム３３の穴に圧入等されて固定される軸部３７ａと、この軸部３７ａの位置決めをなす鍔部３７ｂと、この鍔部３７ｂに連続して軸部３７ａと反対側に突出される凸部３７ｃとから構成されている。そして、凸部３７ｃには、横アーム３３の軸方向と交差する方向に開口する挿通穴が設けられている。
【００４３】
接続具３４は、縦骨材１１を内外両側から挟む一対の挟持片３４ａ，３４ｂからなり、同一の形状を有する２個の挟持片によって構成されている。各挟持片３４ａ，３４ｂは、半円形に形成された挟持部３８ａと、この挟持部３８ａの両側に連続された連結部３８ｂ，３８ｂとからなり、各連結部３８ｂには挿通穴が設けられている。
【００４４】
かくして、縦骨材１１を内外両側から挟む一対の挟持片３４ａ，３４ｂのそれぞれ両端の連結部３８ｂ間に、隣り合う横アーム３３の一方の接続片３５と他方の接続片３６がそれぞれ挿入される。このように重ね合わされた状態で各連結部３８ｂの挿通穴に取付ネジ３９が挿入され、その取付ネジ３９の先端に螺合するナットの締め込みにより、各横アーム３３が隣り合う縦骨材１１間に締付固定されている。このような構成を有する骨格部材７は、図６に示すように、組立時において膜取付部材８に組み立てられて一体的に構成される。
【００４５】
膜取付部材８は、図１０に示すような形状を有する複数個の上フレーム片４０（本実施例では８個）と、隣り合う上フレーム片４０間を接続する上フレーム片４０と同数の上ジョイント４１と、これらを連結する取付ネジ４７ａから構成されている。上フレーム片４０は、断面形状がコ字状をなす部材を、その溝が円弧状をなすよう湾曲させることによって形成されている。そして、上フレーム片４０の溝の底部には、上ジョイント４１を連結するための複数の通し孔４２ａと、後述する支持柱を支持するための１又は２個の挿通孔４２ｂとが設けられている。
【００４６】
この上フレーム片４０の曲率半径方向内側に立ち上げられた側面部４０ａの外周面（半径方向内側の面）には、内側皮膜５を膜取付部材８に対して着脱自在に固定するための膜固定手段の一具体例を示す内側皮膜用面ファスナ４４の一方を構成する固定側ファスナ部材４４ａが接着剤等の固着手段により固定されている。また、上フレーム片４０の曲率半径方向外側に立ち上げられた側面部４０ｂの外周面（半径方向外側の面）には、外側皮膜６の下端縁及び後述する幔幕の上端縁を膜取付部材８に対して着脱自在に固定するための膜固定手段の一具体例を示す外側皮膜兼幔幕用面ファスナ４５の一方を構成する固定側ファスナ部材４５ａが接着剤等の固着手段により固定されている。
【００４７】
上ジョイント４１は上フレーム片４０の溝に見合う形状とされていて、その底面には、上フレーム片４０の通し孔４２ａと対応する位置に同じ数だけ通し孔４６ａが設けられている。この上ジョイント４１を上フレーム片４０の溝内に嵌め合わせ、互いに位置合わせされた通し孔４２ａ，４６ａに取付ネジ４７ｂを挿入して締め付けることにより、２個の上フレーム片４０，４０が長手方向へ連結される（図４Ｂを参照）。そして、所定数（本実施例では８個）の上フレーム片４０を長手方向へつなぎ合わせることにより、図１１に示すように、全体としてリング状をなす膜取付部材８が構成される。
【００４８】
これにより、内側皮膜用面ファスナ４４の固定側ファスナ部材４４ａと外側皮膜兼幔幕用面ファスナ４５の固定側ファスナ部材４５ａとが、それぞれ周方向に連続されて全体としてリング状に構成される。この固定側ファスナ部材４４ａに対応して内側皮膜５の開口側端部の外周面には、図１２に示すように、内側皮膜用面ファスナ４４の他方を構成する膜側ファスナ部材４４ｂが縫合等の固着手段によって固定されている。また、固定側ファスナ部材４５ａに対応して外側皮膜５の開口側端部の内周面には、図１２に示すように、外側皮膜兼幔幕用面ファスナ４５の他方を構成する膜側ファスナ部材４５ｂが縫合等の固着手段により固定されている。
【００４９】
これら内外の膜側ファスナ部材４４ｂ，４５ｂは、内側皮膜５及び外側皮膜６の開口側端部において、それぞれ周方向に連続するよう全周に渡って設けられているが、周方向に適当な間隔をあけて間欠的に配置する構成としてもよい。この場合には、膜側ファスナ部材４４ｂ，４５ｂに合わせて固定側ファスナ部材４４ａ，４５ａを、周方向に適当な間隔をあけて間欠的に配置する構成としてもよい。また、膜固定手段としての面ファスナ４４，４５に換えて、例えば、ボタンを用いる固着手段やチャックを用いる固着手段等のように、２つの部材を簡単に係合離脱させることができる各種の手段を適用できることは勿論である。
【００５０】
この膜取付部材８に、上述した骨格部材７の複数の縦骨材１１の下端部が、それぞれ取付ブラケット４８を介して着脱可能に取り付けられている。図４及び図５に示すように、取付ブラケット４８は、縦骨材１１の下部アーム１６の下端部に固定された下側接続片２１の凸部２２ｃが挿入される二股部４８ａを有し、その二股部４８ａには横方向に貫通する連結孔が設けられている。各取付ブラケット４８に対応して上フレーム片４０の下面には、軸方向の一端が閉じられた鞘管４９が配置されている。この鞘管４９と共に取付ブラケット４８は、取付ネジ４７ｂによって上フレーム片４０に固定されている。
【００５１】
これにより膜取付部材８には周方向に所定間隔あけて、その上面には１２個の取付ブラケット４８が固定され、また、下面には１２個の鞘管４９が固定されている。各鞘管４９には、ドーム部２を高さ調整可能に支持する支持柱６０の上端部が挿入される。この実施例では、１２本の支持柱６０が用いられており、これら１２本の支持柱６０は、図１及び図３等に示すように、円弧状に連結された２組の支持部材５１に所定の間隔をあけて立設されている。
【００５２】
支持部材５１は、図１３に示すような形状を有する複数個の下フレーム片５２（本実施例では６個）と、隣り合う下フレーム片５２間を接続する下ジョイント５３（本実施例では４個）と、これらを連結する取付ネジ４７ｃから構成されている。下フレーム片５２は、断面形状がコ字状をなす部材を、その溝を下方に向けた状態で水平方向へ円弧状をなすよう湾曲させることによって形成されている。この下フレーム片５２の上面には、下ジョイント５３を連結するための複数の通し孔５４ａと、支持柱６０を支持するための２個の挿通孔５４ｂとが設けられている。
【００５３】
更に、下フレーム片５２の曲率半径方向外側に配された側面部５２ａの外周面（半径方向外側の面）には、胴体部３の側面を覆う幔幕５７の下端縁を着脱自在に固定するための固定手段の一具体例を示す幔幕用面ファスナ５８の一方を構成する固定側ファスナ部材５８ａが接着剤等の固着手段により固定されている。
【００５４】
また、下ジョイント５３は下フレーム片５２の溝に見合う形状とされていて、その上面には、下フレーム片５２の通し孔５４ａと対応する位置に同じ数だけ通し孔５５ａが設けられている。この下ジョイント５３を下フレーム片５２の溝内に嵌め合わせ、互いに位置合わせされた通し孔５４ａ，５５ａに取付ネジ４７ｃを挿入して締め付けることにより、２個の下フレーム片５２，５２が長手方向へ連結される（図４Ｃを参照）。
【００５５】
この下フレーム片５２の所定数（本実施例では３個）を長手方向へつなぎ合わせることにより、図１４に示すように、全体として略半円形をなす２組の支持部材５１が構成されている。このように支持部材５１を２組として構成した理由は、支持部材５１が見物者の出入りの際の障害物とならないようにするためである。即ち、支持部材を２組に分割して構成することにより、２組の支持部材５１，５１間に出っ張りのない通路を作り、その通路を人が移動できるようにしている。
【００５６】
この下フレーム片５２の上面には、図４に示すように、各挿通孔５４ｂに対応して円筒状の位置決め管６３が配置されている。位置決め管６３は、支持柱６０を支持部材５１の所定位置に位置決めするためのもので、挿通孔５４ｂに挿通される取付ネジ４７ｄによって下フレーム片５２に固定されている。この位置決め管６３に支持柱６０の下部を嵌合することにより、支持柱６０が下フレーム片５２の所定位置に立設される。
【００５７】
１組の支持部材５１には、それぞれ６個の支持柱６０が立設される。従って、この実施例では、１２個の支持柱６０によってドーム部２が下方から支えられている。支持柱６０は、図４及び図５に示すような構成を有している。即ち、支持柱６０は、支持部材５１に固定されるパイプ状の外筒６１と、この外筒６１に対して入れ子式に出し入れされるパイプ状の内筒６２を備えて構成されている。外筒６１に対する内筒６２は、調整ピン６４の差込位置を変えることにより３段階に高さ調整可能とされている。
【００５８】
この高さ調整を行うため、外筒６１の上部には基準孔６１ａが直径方向へ貫通するように設けられている。これに対して内筒６２には、下段孔６２ａと中段孔６２ｂと上段孔６２ｃが軸方向へ所定間隔あけて３箇所に設けられている。この３つの孔のいずれかを基準孔６１ａに合わせ、その状態で両孔に調整ピン６４を挿通させることにより、支持柱６０を下段位置と中段位置と上段位置のいずれかに選択的に設定することができる。尚、支持柱６０の高さ調整は、この実施例に限定されるものではない、２段或いは４段以上の段数に設定できることは勿論のこと、無段階に高さ調整が可能な構成とすることもできる。
【００５９】
この支持柱６０の、外筒６１の下端が支持部材５１の位置決め管６３に嵌合され、内筒６２の上端が膜取付部材８の鞘管４９に嵌合される。外筒６１と位置決め管６３及び内筒６２と鞘管４９は、それぞれ固定ピン６５の着脱により着脱可能に構成されている。そのため、外筒６１の下端部と内筒６２の上端部と位置決め管６３と鞘管４９には、それぞれ挿通孔６１ｂ，６２ｄ，６３ａ及び４９ａが直径方向へ貫通するように設けられている。更に、内筒６２の外周面には、外筒６１に対する内筒６２の沈み込み量を制限するための環状凸部６６が設けられている。この環状凸部６６が外筒６１の上端に当接した状態が支持柱６０の最も縮んだときであり、このとき基準孔６１ａには上段孔６２ｃが一致するようにする。
【００６０】
また、図１〜図４に示す符号７０は、見物者がドーム形スクリーン装置１に出入りするためのトンネル部である。このトンネル部７０は、同一のものが胴体部３の２箇所に設けられた出入口と対向する位置に配置されている。各トンネル部７０は、大人が立って歩くことができる大きさの縦長の立方体からなり、その骨組みとなるフレーム部７１と、このフレーム部７１の正面及び背面に設けられ且つ人の出入りが可能とされた開閉部７２，７３と、フレーム部７１の上面及び左右側面を覆うカバー部７４とから構成されている。
【００６１】
図３等に示すように、フレーム部７１は、縦長の長方形枠体とされた左右の側面フレーム７１ａ，７１ａと、両側面フレーム７１ａの上端に掛け渡された上面パネル７１ｂとからなり、図示しないが、ネジ止め等の固着手段によって組立・分解可能に構成されている。このフレーム部７１の正面及び背面に、開閉部の一具体例を示す交差式カーテンのような前側暗幕７２と後側暗幕７３が、外部から光が入り込むのを防止すると共に、人が裾を跳ね上げる等によって人の通行が可能なように設けられている。
【００６２】
フレーム部７１は、図４に示すように、出入口に位置する２本の支持柱６０に対して複数の支持具７５（この実施例では１本の支持柱６０について２個）によって背面側から支持されている。各支持具７５は、外筒６１に装着されるリング状をなすバンド部材７６と、側面フレーム７１ａの背面に固定された突起片７７とからなる。バンド部材７６の両端で突起片７７を挟み込み、その挟み込み部をネジ締めすることにより、フレーム部７１が支持柱６０に取り付けられる。
【００６３】
このような構成を有する２つのトンネル部７０，７０の間は、図２及び図３に示すように、２枚の幔幕５７により覆われて外の光がドーム内に入らないように構成されている。各幔幕５７は、外からの光を遮ることができると共に柔軟性に富む布、プラスチックシートその他の材料によって形成されている。幔幕５７の内面の下部には、この幔幕５７の下縁部を支持部材５１の外周面に設けた固定側ファスナ部材５８ａと係合離脱自在とされた幕下側ファスナ部材５８ｂが長手方向の略全長に渡って設けられている。
【００６４】
また、幔幕５７の内面の上部には、この幔幕５７の上縁部を膜取付部材８の外周面に設けた固定側ファスナ部材４５ａと係合離脱自在とされた幕上側ファスナ部材５９が長手方向の略全長に渡って設けられている。この幕上側ファスナ部材５９は、胴体部３の高さ調整に合わせて高さ変更を吸収できる幅によって形成されている。
【００６５】
これにより図１において、支持柱６０が実線で示す最も伸びた状態では、幕上側ファスナ部材５９の上端縁が固定側ファスナ部材４５ａと係合される。一方、支持柱６０が二点鎖線で示す最も縮んだ状態では、幕上側ファスナ部材５９の下端縁が固定側ファスナ部材４５ａと係合される。尚、幕上側ファスナ部材５９は、胴体部３の高さ調整に合わせて、その調整段数と同じ数の互いに平行をなす直線部として設定することもできる。
【００６６】
前述した骨格部材７の縦骨材１１、横骨材１２、リングジョイント１３及び連結具１７、膜取付部材８の上フレーム片４０及び上ジョイント４１、支持部材５１の下フレーム片５２及び下ジョイント５３、トンネル部７０の側面フレーム７１ａ及び上面パネル７１ｂの材料としては、例えば、アルミニウム合金が好適であるが、ステンレス鋼その他の金属材料を適用できることは勿論のこと、エンジニアリングプラスチックその他の材料を用いることもできる。
【００６７】
また、図１に示すように、吸引装置４は、電動モータによって回転駆動される吸引ポンプ８０と、吸引ポンプ８０や電動モータ等が収納されたハウジング８１と、内側皮膜５と外側皮膜６で囲まれた気体室である空気室９を吸引ポンプ８０も連通する吸気ダクト８２等から構成されている。吸気ダクト８２は蛇腹のように曲げや伸縮が自在な構造とされていて、一端が吸引ポンプ８０の吸い込み口に接続されている。吸気ダクト８２の他端は幔幕５７を貫通して胴体部３内に挿通され、その先端は膜取付部材８の溝底部に設けた貫通穴８３に挿通されている。
【００６８】
胴体部３の略中央部に配置される映写機としては、例えば、図１５に示すような構成を有するプロジェクタ９０を用いることができる。このプロジェクタ９０は、球体をなす映写部９１と、この映写部９１を回転自在に支持すると共に上下方向へ回動駆動させる駆動装置が内蔵されたスタンド部９２と、このスタンド部９２の下端に固定されたベース部９３とから構成されている。映写部９１は、外周面に多数の凹部が設けられた球体９１ａと、各凹部の中央に露出するように設けられた多数の映写レンズ９１ｂを有している。かくして、球体９１ａを回転させながら複数の映写レンズ９１ｂで画像を内側皮膜５であるドーム形スクリーンに映し出すことにより、プラネタリウムとして恒星や惑星の運行を学んだり、映画館として映画のストーリーを楽しむことができる。
【００６９】
このような構成を有するドーム形スクリーン装置１は、例えば、次のようにして組み立てることができる。まず、図１３に示す下フレーム片５２の所定数を、下ジョイント５３を用いて長手方向に連結し、図１４に示すように、２組の支持部材５１，５１を構成する。これら２組の支持部材５１，５１の所定位置に位置決め管６３を用いて所定数の支持柱６０を立て、それぞれの外筒６１を固定ピン６５で位置決め管６３に固定する。その後に、或いは支持部材５１の組立作業と平行して、図１０に示す上フレーム片４０の所定数を、上ジョイント４１を用いて長手方向に連結し、図１１に示すように、リング状をなす膜取付部材８を構成する。
【００７０】
次に、図７Ａに示すような状態で保管されている骨格部材７を、図６に示すように傘を開くように展開し、その後に全ての縦骨材１１の下端部を膜取付部材８に固定する。これは、まず、連結具１７の部分で２つに折り曲げられている縦骨材１１を、図９Ａ、Ｂに示すように、その連結具１７から広げて伸ばすようにする。これにより、連結具１７の両端に接続片１９，２０の鍔部２２ｂがそれぞれ当接され、この状態で連結具１７を含むその近傍に保護パイプ２６を嵌め込む。
【００７１】
これと共に又は前後して、リングジョイント１３において、上部アーム１５を広げて伸ばすようにする。これにより、図８Ａ、Ｂに示すように、スリット２８の底に接続片１８の突起２２ｄが当接される。その結果、上部アーム１５の更なる外側への動きが制限され、多数の縦骨材１１がそれぞれ開いた状態に保持される。
【００７２】
次に、各連結具１７の近傍において、縦骨材１１の上部アーム１５又は下部アーム１６に横骨材１２を組み立てる。これは、隣り合う縦骨材１１，１１間に横骨材１２の横アーム３３を張り渡し、図９Ａ、Ｂに示すように、接続具３４で隣り合う横アーム３３，３３の端部を挟持しつつ縦骨材１１に固定する。これにより、多数の縦骨材１１の互いの間隔が略一定に保持される。
【００７３】
このように開かれた骨格部材７の各縦骨材１１の下端部を膜取付部材８の溝内にそれぞれ挿入する。そして、膜取付部材８の溝内に取り付けられた取付ブラケット４８に、各縦骨材１１の下端に固定された接続片２１を取付ネジ４７ｅで固定する。これにより、図６に示すように、膜取付部材８に骨格部材７が組み立てられた骨格組立体が構成される。
【００７４】
この骨格組立体の内側に内側皮膜５を配置し、この内側皮膜５を広げて骨格部材７の内面に沿うように展開させる。そして、内側皮膜５の開口側端部に設けた膜側ファスナ部材４４ｂの適当な箇所を膜取付部材８の内周面に設けた固定側ファスナ部材４４ａに係合させて、内側皮膜５がある程度の半球形を保持できるようにする。
【００７５】
次に、骨格組立体の外側に外側皮膜６を配置して被せ、この外側皮膜６を広げて骨格部材７の外面に沿うように展開させる。そして、外側皮膜６の開口側端部に設けた膜側ファスナ部材４５ｂの適当な箇所を膜取付部材８の外周面に設けた固定側ファスナ部材４５ａに係合させる。これにより、骨格組立体の内側に内側皮膜５が配置され、その外側に外側皮膜６が配置されると共に、両皮膜５，６間に気体室（空気室）９が形成されたドーム部２が構成される。
【００７６】
このように構成されたドーム部２を持ち上げ、２組の支持部材５１に固定されている１２本の支持柱６０の上に載置する。この際、１２本の支持柱６０は、それぞれ最も低い状態に設定しておくことにより、ドーム部２の持ち上げ量を最も小さくすることができる。また、膜取付部材８の下面に固定されている１２個の鞘管４９に各支持柱６０の内筒６２の上端部をそれぞれ嵌め合わせ、各内筒６２を固定ピン６５で鞘管４９にそれぞれ固定する。そして、必要に応じて支持柱６０の高さを調整する。
【００７７】
この支持柱６０の高さ調整は、例えば、次のようにして行うことができる。図５において実線で示すように、全ての支持柱６０が最も縮んだ状態にあるときには、各支持柱６０において環状凸部６６が外筒６１の上端面に当接しているため、調整ピン６４を簡単に引き抜くことができる。
【００７８】
そこで、各支持柱６０において調整ピン６４を引き抜き、複数人でドーム部２を所定の高さまで押し上げる。そして、ドーム部２を最も高い位置に設定する場合には、図４に示すように、内筒６２の下段孔６２ａが外筒６１の基準孔６１ａと一致するまで持ち上げ、その基準孔６１ａ及び下段孔６２ａに調整ピン６４を挿入する。また、ドーム部２を中間の位置に設定する場合には、内筒６２の中段孔６２ｂが外筒６１の基準孔６１ａと一致するまで持ち上げ、その基準孔６１ａ及び中段孔６２ｂに調整ピン６４を挿入する。
【００７９】
これにより、見物者の大きさ（背の高さ）に応じてスクリーンの高さを３段階に調整することができる。例えば、主な見物者が大人である場合には、ドーム部２を最も高い位置に設定し、一方、主な見物者が幼稚園児や小学生である場合には、ドーム部２を最も低い位置に設定するようにする。これとは逆に、主な見物者が大人である場合において、故意にドーム部２を最も低い位置に設定し、見物者にわざと圧迫感を与えるようにすることもできる。この場合には、例えば、次のような効果が期待される。
【００８０】
一般に、茶道の世界において、茶室には「にじり口」と呼ばれる壁面に設けられた客用の小さな出入口があり、このにじり口は慣れていなければ女性でも身をかがめて席入りするのに大変ですので、男性ならばなおさらのこと通り難くいものとなっています。このにじり口は、千利休が草庵茶室・待庵に設けた小さな入り口が始まりと言われていますが、これには利休特有の精神的、思想的な目的が意図的に表現されているそうです。それは、封建社会での身分の上下関係は絶対的なものでしたが、茶室に入るには誰であろうとも低く頭を垂れて伏して入らねばならないようにして、茶室の中では身分の上下関係を取り除き、まず自分というものを一度捨て、お互いに一人の人間として対峙するという意味があります。
【００８１】
このような茶室は、小宇宙或いは母親の胎内であるとよく言われますが、にじり口から入ったら立場を捨て、無垢なありのままの姿になれということで、何を言わずとも空間の所作によって教える、それが究極の空間といわれる所以です。本願発明は、このような空間をドーム形スクリーン装置１として実現し、上記胴体部３の高さ調整により茶室と同様の空間を得られるようにすることにより、茶の作法と同様の感覚を持って恒星や惑星等の星の運行等を見学或いは見物することができる、という効果が期待されます。
【００８２】
上述したように支持柱６０の高さ調整により胴体部３の高さが決定したところで、次に、図３に示すように、全ての支持柱６０を覆い隠すように２枚の幔幕５７を胴体部３（トンネル部７０，７０間の２箇所）に張り合わせる。これは、幔幕５７を膜取付部材８及び支持部材５１の外周面に巻き付けながら、内面の上端縁に設けた幕上側ファスナ部材５９を膜取付部材８の外周面に設けた固定側ファスナ部材４５ａに係合させると共に、内面の下端縁に設けた幕下側ファスナ部材５８ｂを支持部材５１の外周面に設けた固定側ファスナ部材５８ａに係合させることにより行う。
【００８３】
この場合、胴体部３の高さが最も高い上段位置ではなく中段又は下段位置である場合には、幔幕５７の上端縁が少々あまることになるが、そのあまった部分は外側に折り返すようにして、支持柱６０の部分はたるみが出ないように貼り付ける。これにより、ドーム部２を支える胴体部３の組立が完了する。
【００８４】
この胴体部３の２箇所の出入口にトンネル部７０をそれぞれ配置する。そして、図１に示すように、吸引装置４を所定位置にセットし、その吸気ダクト８２の先端をドーム部２の膜取付部材８に設けた貫通穴８３に差し込み、ドーム部２の空気室９を吸引装置４に連通させる。その後、吸引装置４を駆動させて空気室９内の空気を吸引し、その圧力を外部の圧力よりも低くする。
【００８５】
これにより、略半球形をなす内側皮膜５の外周面の全体には負圧が満遍なく作用する一方、曲率半径方向内側の内周面の全体には大気圧（正圧）が満遍なく作用する。その結果、内側皮膜５は、その内周面に作用する正圧と外周面に作用する負圧によって膨らみ、略半球形をなす形態に保持される。また、同じく略半球形をなす外側皮膜６の内周面の全体には負圧が満遍なく作用する一方、曲率半径方向外側の外周面の全体には大気圧（正圧）が満遍なく作用する。そのため、外側皮膜６には大気圧による押し縮めようとする力が作用するが、外側皮膜６の内側には骨格部材７が配置されているため、この骨格部材７によって外側皮膜６の略半球形をなす形態が保持される。
【００８６】
これにより、全ての組立作業が完了し、図２に示すような形態をなすドーム形スクリーン装置１を構成することができる。その後、図１に示すように、胴体部３の中央部に１台又は２台以上のプロジェクタ９０（その他の映写機等でもよい。）を配置する。見物者（見学者）は、中央に配置されるプロジェクタ９０の周囲を囲むように配置される。
【００８７】
この状態で、例えば、１台のプロジェクタ９０を用いて恒星の運行を半球形スクリーン（内側皮膜５）に写したり、２台のプロジェクタ９０を用いて１台で恒星の運行を写し、他の１台で惑星の運行を同時に又は選択的に写し出すようにする。このドーム形スクリーン装置１によれば、構造が比較的簡単であって、移動も容易に行うことができ、しかも組立・分解作業が容易な簡易方式のプラネタリウムを構成することができる。
【００８８】
一般に、空気を密閉すると、その密閉された空気が断熱層となるため、そのような断熱層の内側に多数の人が一定時間入る構造物の場合には、人の体温や吐く息等によって構造物内の温度が上昇し、空気も汚れるため、構造物内の空調が必要となり、そのための空調設備が必要不可欠となる。これに対して、本願発明によれば、吸引装置４によってドーム形スクリーンの空気室９内が常時吸気されているため、内側皮膜５内にあって多くの人の周囲を囲う空気が、例えば、面ファスナの接合部分や、スクリーンの縫い目等の隙間から吸気されることにより、内側皮膜５内の空気が常に入れ換えられることから、特別な空調設備を設ける必要がない。
【００８９】
特に、内側皮膜５に空気入れ換え用の空気穴を設けることにより、内側皮膜５内の空気の入れ換えを確実且つ迅速に行うことができる。また同様に、一般の建造物のように空気が流れない場合には、内部の空気と外気との温度差によって天井や壁等に結露を生ずるが、本願発明のドーム形スクリーン装置１によれば、空気がスクリーン内や内側皮膜５を常時流れるため、結露の発生を防止することができる。
【００９０】
更に、本願発明のドーム形スクリーン装置１によれば、大人数人で短時間に組立、分解作業を行うことができると共に、講堂や体育館等に設置する場合において、天井の高さに合わせて簡単に高さ調整を行うことができ、最適な高さに設定することができる。例えば、学校の講堂や体育館等に簡単に設置することができるので、例えば、地区内の学校を順次巡回して「動くプラネタリウム教室」等のように機能させて、学校教育に幅広く使用することができる。
【００９１】
本発明は、前述しかつ図面に示した実施の形態に限定されるものではなく、その要旨を逸脱しない範囲内で種々の変形実施が可能である。例えば、前記実施例では、ドーム部２の形状に合わせて胴体部３を円筒状に構成したが、四角形、六角形、八角形等の角形の筒体として構成することもできる。また、トンネル部の数は、１個であってもよく、また、３個以上設ける構成としてもよいことは勿論である。
【００９２】
【発明の効果】
以上説明したように、本出願の請求項１記載のドーム形スクリーン装置によれば、内側皮膜と外側皮膜との間に形成された気体室の気体を吸引装置で常時吸引する構成としたため、内側皮膜の内面に作用する圧力と外面に作用する圧力との差圧によって内側皮膜が常時張られた状態となるため、スクリーンの投影面の略半球形を安定性よく維持することができるという効果が得られる。
【００９３】
本出願の請求項２記載のドーム形スクリーン装置によれば、膜取付部材と膜固定手段を設け、膜固定手段で内側皮膜及び外側皮膜の略全周を膜取付部材にそれぞれ固定する構成としたため、内側皮膜及び外側皮膜を所定の関連性を持って簡単且つ迅速に組み立てることができ、ドーム形スクリーンの組立性を大幅に向上させることができるという効果が得られる。
【００９４】
本出願の請求項３記載のドーム形スクリーン装置によれば、膜固定手段として面ファスナを用いることができ、これにより、膜取付部材に対する内側皮膜及び外側皮膜の脱着作業を簡単且つ迅速に行うことができるという効果が得られる。
【００９５】
本出願の請求項４記載のドーム形スクリーン装置によれば、骨格部材に外側皮膜を被せて保持する構成としたため、外側皮膜の内面に作用する負圧による変形を抑制して気体室を明確に出現させ、内側皮膜の内面に負圧を確実且つ十分に作用させて投影面の略半球形を安定性よく維持することができるという効果が得られる。
【００９６】
また、本出願の請求項５記載のドーム形スクリーン装置によれば、吸引装置の吸気ダクトを膜取付部材の貫通穴に嵌合させる構成としたため、吸引装置を気体室に簡単且つ迅速に接続することができ、組立時及び分解時における作業性を向上させることができるという効果が得られる。
【図面の簡単な説明】
【図１】本発明のドーム形スクリーン装置の一実施例を中央部から断面して示す説明図である。
【図２】本発明のドーム形スクリーン装置の一実施例を外側から見た外観斜視図である。
【図３】本発明のドーム形スクリーン装置の一実施例を分解して示す斜視図である。
【図４】本発明のドーム形スクリーン装置の一実施例に係る支持柱を示すもので、同図Ａは一部を断面して示す説明図、同図Ｂは上フレームの接続部を示す説明図、同図Ｃは下フレームの接続部を示す説明図である。
【図５】本発明のドーム形スクリーン装置の一実施例に係る支持柱の正面図である。
【図６】本発明のドーム形スクリーン装置の一実施例に係る骨格部材と膜取付部材の組立状態を示す斜視図である。
【図７】本発明のドーム形スクリーン装置の一実施例に係る骨格部材を示すもので、同図Ａは縦骨材の折り畳み状態を示す側面図、同図Ｂは同図Ａの連結具の部分を拡大して示す説明図である。
【図８】本発明のドーム形スクリーン装置の一実施例に係る骨格部材のリングジョイント部分を示すもので、同図Ａは平面図、同図Ｂは右半分を断面して示す説明図である。
【図９】本発明のドーム形スクリーン装置の一実施例に係る骨格部材の連結具部分を伸ばした状態を示すもので、同図Ａは正面図、同図Ｂは側面図である。
【図１０】本発明のドーム形スクリーン装置の一実施例に係る上フレーム片及び上ジョイントを示す斜視図である。
【図１１】本発明のドーム形スクリーン装置の一実施例に係る膜取付部材を示す斜視図である。
【図１２】本発明のドーム形スクリーン装置の一実施例に係る内側皮膜及び外側皮膜を示す斜視図である。
【図１３】本発明のドーム形スクリーン装置の一実施例に係る下フレーム片及び下ジョイントを示す斜視図である。
【図１４】本発明のドーム形スクリーン装置の一実施例に係る支持部材と支持柱の組立状態を示す斜視図である。
【図１５】本発明のドーム形スクリーン装置の一実施例に係るプロジェクタを示す斜視図である。
【符号の説明】
１…ドーム形スクリーン装置、２…ドーム部、３…胴体部、４…吸引装置、５…内側皮膜、６…外側皮膜、７…骨格部材、８…膜取付部材、９…気体室（空気室）、１１…縦骨材、１２…横骨材、１３…リングジョイント、１５…上部アーム、１６…下部アーム、１７…連結具、１８，１９，２０，２１…接続片、３３…横アーム、３４…接続具、４０…上フレーム片、４１…上ジョイント、４４…内側皮膜用面ファスナ、４５…外側皮膜兼幔幕用面ファスナ、４４ａ，４５ａ，５８ａ…固定側ファスナ部材、４４ｂ，４５ｂ…膜側ファスナ部材、４８…取付ブラケット、５１…支持部材、５２…下フレーム片、５３…下ジョイント、５７…幔幕、５８…幔幕用面ファスナ、５８ｂ…幕下側ファスナ部材、５９…幕上側ファスナ部材、６０…支持柱、６１…外筒、６２…内筒、７０…トンネル部、８０…吸引ポンプ、８２…吸気ダクト、９０…プロジェクタ、６２…内筒、７０…トンネル部
【図１】
2005017398.tif 000003
【図２】
2005017398.tif 000004
【図３】
2005017398.tif 000005
【図４】
2005017398.tif 000006
【図５】
2005017398.tif 000007
【図６】
2005017398.tif 000008
【図７】
2005017398.tif 000009
【図８】
2005017398.tif 000010
【図９】
2005017398.tif 000011
【図１０】
2005017398.tif 000012
【図１１】
2005017398.tif 000013
【図１２】
2005017398.tif 000014
【図１３】
2005017398.tif 000015
【図１４】
2005017398.tif 000016
【図１５】
2005017398.tif 000017